(57)【要約】      （修正有）【課題】既存のサンルーフスイッチに比べ、より簡単な構造で、一つのボタン操作で完全開、完全閉、ティルトアップ、ティルトダウン、一部開、一部閉の作動が可能であり、滑らかな操作感を有する１ボタン６ウェイサンルーフスイッチを提供する。【解決手段】本発明は、上下に開放した形態のケースと、下端部の一端にはヒンジ孔が形成された構造のノブベースと、締結溝が両側面に形成されたノブと、上端に係止突起が形成されたバー状の発光ロッドと、前記発光ロッドの両側面と下端面に一体に成形されるレバーと、ヒンジピンが一体に形成されたスライダーと、前記レバーの下端部に結合されるボディー部と、このボディー部の底面の四方位置に取り付けられた接点脚とから構成されるコンタクトと、前記コンタクトの接点脚が接する複数個の接点が付着配列されたＰＣＢ基板と、前記ケースの底面を仕上げるカバーと、を含めて構成されることを特徴とする。【選択図】図１
2006179459.tif 000002
【特許請求の範囲】
【請求項１】
上下に開放した形態であって、内部空間は、中空の組立て空間として形成されたケースと、
上下に貫通する締結口が形成されて、両側面に突起状のフックが一体に形成され、下端部の一端にはヒンジ孔が形成された構造のノブベースと、
前記ノブベースのフックが嵌合される締結溝が両側面に形成されたノブと、
前記ノブベースの締結口の上端面に引っ掛かって締結されるよう、上端に係止突起が形成されたバー状の発光ロッドと、
前記発光ロッドの両側面と下端面に一体に成形されるレバーと、
中央位置に上下に貫通する経由孔が形成され、４隅の底面には保持脚が一体に形成されて、上端部には前記ノブベースのヒンジ孔に結合されるヒンジピンが一体に形成されたスライダーと、
前記スライダーの経由孔を通じて挿入された前記レバーの下端部に結合されるボディー部と、このボディー部の底面の四方位置に付着する接点脚とから構成されるコンタクトと、
前記レバーにより押圧されて、タクトスイッチが両側に配置され、前記コンタクトの接点脚が接する複数個の接点が付着配列されたＰＣＢ基板と、
前記ケースの底面を仕上げるカバーと、
を含めて構成されることを特徴とする１ボタン６ウェイサンルーフスイッチ。
【請求項２】
前記ケースの上端部には、十字状の案内孔を有する案内端がさらに形成されることを特徴とする請求項１に記載の１ボタン６ウェイサンルーフスイッチ。
【請求項３】
前記十字状の案内孔に挿入される案内ピンが前記ノブベースのヒンジ孔の反対側に突設することを特徴とする請求項１または２に記載の１ボタン６ウェイサンルーフスイッチ。
【請求項４】
前記ケースの内側面には、鈍角を成すホルダー部がさらに形成されることを特徴とする請求項１に記載の１ボタン６ウェイサンルーフスイッチ。
【請求項５】
前記スライダーの両側面には、スプリングとロッドとが挿入保持される保持溝がさらに形成されて、前記ロッドの先端は、スプリングの弾性力により前記ホルダー部に安着保持されることを特徴とする請求項１または４に記載の１ボタン６ウェイサンルーフスイッチ。
【請求項６】
前記ケースの下端部の両側面には、前記スライダーの移動区間を限定するスライド孔がさらに形成されることを特徴とする請求項１に記載の１ボタン６ウェイサンルーフスイッチ。
【請求項７】
前記スライダーの各接点脚の外表面には、前記スライド孔に挿入されるスライドピンが一体に突設することを特徴とする請求項１または６に記載の１ボタン６ウェイサンルーフスイッチ。
【請求項８】
前記レバーの下端部の両側面の中央位置には、締結突起が一体に形成されて、前記コンタクトのボディー部の両側面には、前記締結突起が挿入される締結孔がさらに形成されることを特徴とする請求項１に記載の１ボタン６ウェイサンルーフスイッチ。
【請求項９】
前記レバーの中央部から延長した両端部は、前記タクトスイッチの上面位置まで延長形成されて、その延長された底面には、タクトスイッチを選択的に押圧する押圧端が一体に形成されることを特徴とする請求項１に記載の１ボタン６ウェイサンルーフスイッチ。
【請求項１０】
前記コンタクトの接点脚の二つは、サンルーフ一部開/一部閉のための第１の接点脚から構成されて、他の二つは、サンルーフ完全開/完全閉のための第２の接点脚から構成されることを特徴とする請求項１に記載の１ボタン６ウェイサンルーフスイッチ。
【請求項１１】
前記ＰＣＢ基板上には、一側に(−)端子が配列されて、中央側には、タクトスイッチにより接触がなされるティルトアップ及びティルトダウン接点が配列されて、前記(−)端子とティルトアップ/ダウン接点との間には、前記コンタクトの第１の接点脚が接する１段接点が配列されて、その反対側には、前記コンタクトの第２の接点脚が接する２段接点が配列されることを特徴とする請求項１または１０に記載の１ボタン６ウェイサンルーフスイッチ。
【請求項１２】
前記ＰＣＢ基板の中央位置には、前記発光ロッドを発光させるためのＬＥＤが付着されることを特徴とする請求項１１に記載の１ボタン６ウェイサンルーフスイッチ。
【発明の詳細な説明】
【技術分野】
【０００１】
本発明は、１ボタン６ウェイサンルーフスイッチに関するものであって、さらに詳細には、一つのボタン操作によりサンルーフの６ウェイ(完全開、完全閉、ティルトアップ、ティルトダウン、一部開、一部閉)開閉作動が可能であるように構成し、サンルーフの開閉量を使用者の趣向に合わせて調節できるようにした１ボタン６ウェイサンルーフスイッチに関するものである。
【背景技術】
【０００２】
車両用サンルーフは、ルーフパネルに開閉可能に設けられる構成品であって、室内換気のための室外空気の流入通路となる便宜装置の一つである。
【０００３】
一般に、前記サンルーフの開閉調節のためのスイッチは、サンルーフと隣接した位置の天井面に設けられて、前記サンルーフスイッチの操作端は、４ウェイ(開、閉、ティルトアップ、ティルトダウン)または６ウェイ(完全開、完全閉、ティルトアップ、ティルトダウン、一部開、一部閉)で構成される。
【０００４】
従来のサンルーフスイッチは、サンルーフの開または閉のために、ノブを直線区間に沿って前後に操作するか、サンルーフのティルティングのために、ノブをシーソー式として上側または下側に倒して操作する構造を適用している。
【０００５】
サンルーフスイッチに対する先行技術である、米国特許第６，６９３，２４６号、第５，５０８，４８５号、第６，０４６，４１４号、第６，０３７，２５９号には、プッシュ式またはシーソー式のサンルーフスイッチが公開されており、また、ヨーロッパ特許第１０３７２２９Ａ１号、第１２３９５０２Ａ３号と、ドイツ特許第４２２１４５８Ａ１にも、サンルーフスイッチに関する技術が公開されている。
【０００６】
特に、米国特許第５，９２０，０４２号(１９９９．０７．１６)には、サンルーフの開または閉作動は、ノブを直線方向に操作することにより行われて、サンルーフのティルトアップまたはティルトダウン作動は、シーソーのように上下に倒す操作により行われるシーソー及びスライディング複合運動式のサンルーフスイッチが公開されている(図１１参照)。
【０００７】
しかしながら、米国特許第５，９２０，０４２号に公開されたサンルーフスイッチは、１ボタン４ウェイ方式であって、サンルーフが完全に開/閉されるまでサンルーフスイッチのノブを操作し続けなければならない不具合がある。
【０００８】
一方、従来技術として、他企業(ドイツのベンツ社、ＢＭＷ社)のサンルーフスイッチがあるが、これは１ボタン８ウェイ(ワンタッチ機能とマニュアル機能に、それぞれティルトアップ/ティルトダウン/開/閉機能を含む)方式のサンルーフスイッチで、一つのスイッチガイドと二つのシーソータイプレバーとから構成された複雑な作動メカニズムにより、組立て作業性及び性能の面で劣るという短所がある。また、部品点数の増加に加え、製造コストが高いという短所もあった。
【０００９】
【特許文献１】米国特許第６，６９３，２４６号
【特許文献２】米国特許第５，５０８，４８５号
【特許文献３】米国特許第６，０４６，４１４号
【特許文献４】米国特許第６，０３７，２５９号
【特許文献５】ヨーロッパ特許第１０３７２２９Ａ１号
【特許文献６】ヨーロッパ特許第１２３９５０２Ａ３号
【特許文献７】ドイツ特許第４２２１４５８Ａ１号
【特許文献７】特開２００３−０２５８５５号公報
【発明の開示】
【発明が解決しようとする課題】
【００１０】
本発明は、上記のような点を勘案し研究・開発されたものであって、既存のサンルーフスイッチに比べ、より簡単な構造を有しながらも、一つのボタン操作によりサンルーフの６ウェイ(完全開、完全閉、ティルトアップ、ティルトダウン、一部開、一部閉)開閉作動が可能であるように構成し、滑らかな操作感を持ちながら、サンルーフの開閉量を使用者の趣向に合わせて調節できるようにした１ボタン６ウェイサンルーフスイッチを提供することにその目的がある。
【課題を解決するための手段】
【００１１】
上記の目的を達成するための本発明は、上下に開放した形態であって、内部空間は、中空の組立て空間として形成されたケースと、上下に貫通する締結口が形成されて、両側面に突起状のフックが一体に形成され、下端部の一端にはヒンジ孔が形成された構造のノブベースと、前記ノブベースのフックが嵌合される締結孔が両側面に形成されたノブと、前記ノブベースの締結口の上端面に引っ掛かって締結されるよう、上端に係止突起が形成されたバー状の発光ロッドと、前記発光ロッドの両側面と下端面に一体に成形されるレバーと、中央位置に上下に貫通する経由孔が形成され、４隅の底面には保持脚が一体に形成されて、上端部には前記ノブベースのヒンジ孔に結合されるヒンジピンが一体に形成されたスライダーと、前記スライダーの経由孔を通じて挿入された前記レバーの下端部に結合されるボディー部と、このボディー部の底面の四方位置に付着する接点脚とから構成されるコンタクトと、前記レバーにより押圧されて、タクトスイッチが両側に配置され、前記コンタクトの接点脚が接する複数個の接点が付着配列されたＰＣＢ基板と、前記ケースの底面を仕上げるカバーと、を含めて構成されることを特徴とする。
【００１２】
前記ケースの上端部には、十字状の案内孔を有する案内端がさらに形成され、前記十字状の案内孔に挿入される案内ピンが前記ノブベースのヒンジ孔の反対側に突設することを特徴とする。
【００１３】
前記ケースの内側面には、鈍角を成すホルダー部がさらに形成され、前記スライダーの両側面には、スプリングとロッドとが挿入保持される保持溝がさらに形成されて、前記ロッドの先端は、スプリングの弾性力により前記ホルダー部に安着保持されることを特徴とする。
【００１４】
前記ケースの下端部の両側面には、前記スライダーの移動区間を限定するスライド孔がさらに形成され、前記スライダーの各接点脚の外表面には、前記スライド孔に挿入されるスライドピンが一体に突設することを特徴とする。
【００１５】
前記レバーの下端部の両側面の中央位置には、締結突起が一体に形成されて、前記コンタクトのボディー部の両側面には、前記締結突起が挿入される締結孔がさらに形成されることを特徴とする。
【００１６】
前記レバーの中央部から延長した両端部は、前記タクトスイッチの上面位置まで延長形成されて、その延長された底面には、タクトスイッチを選択的に押圧する押圧端が一体に形成されることを特徴とする。
【００１７】
前記コンタクトの接点脚の二つは、サンルーフ一部開/一部閉のための第１の接点脚から構成されて、他の二つは、サンルーフ完全開/完全閉のための第２の接点脚から構成されることを特徴とする。
【００１８】
前記ＰＣＢ基板上には、一側に(−)端子が配列されて、中央側には、タクトスイッチにより接触がなされるティルトアップ及びティルトダウン接点が配列されて、前記(−)端子とティルトアップ/ダウン接点との間には、前記コンタクトの第１の接点脚が接する１段接点が配列されて、その反対側には、前記コンタクトの第２の接点脚が接する２段接点が配列されることを特徴とする。
【００１９】
前記ＰＣＢ基板の中央位置には、前記発光ロッドを発光させるためのＬＥＤが付着されることを特徴とする。
【発明の効果】
【００２０】
本発明による１ボタン６ウェイサンルーフスイッチによると、一つのボタン操作によりサンルーフの６ウェイ(完全開、完全閉、ティルトアップ、ティルトダウン、一部開、一部閉)開閉作動が可能となり、滑らかな操作感でサンルーフの開閉量を希望通り正確に調節することができる。
また、既存のサンルーフスイッチに比べ、その構造が簡単であるため、製造コストを低減し、組立て作業性を向上できる。
【発明を実施するための最良の形態】
【００２１】
以下、本発明の好ましい実施例を、図面を参照しながら詳細に説明する。
【実施例】
【００２２】
図１は、本発明による１ボタン６ウェイサンルーフスイッチを示す分離斜視図であり、図２〜図３は、その組立て過程を示す斜視図である。
図１から分かる通り、本発明による１ボタン６ウェイサンルーフスイッチの構成は、全体的な骨格の機能をするケース１０と、このケース１０の上側に装着されるノブ１２及びノブベース１４と、ケース１０の内部に装着される発光ロッド１６及びレバー１８と、レバー１８の下端部に位置するスライダー２０及びコンタクト２２、そして接点構造を有するＰＣＢ基板２４と、これら構成要素の組立て後、ケース１０の底面をカバーしながら付着されるカバー２６などから構成される。
【００２３】
以下、上記各構成の細部構造について説明する。
ケース１０は、上面中央部と下面全体とが開放された直方体の中空構造物であって、中空の内部空間は、後述する各構成の組立て空間として形成されたものである。
また、ケース１０の上部開放部の外周部には、十字状の案内孔２８を有する案内端３０が一体に形成される。
また、ケース１０の両内側面には、鈍角を成すホルダー部３２が形成され、また、両側面の下部側において、その前後位置には、所定の長さを有するスライド孔３４が貫通形成される。ここで前後とは、車体の前後部方向を示す。
また、ケース１０のスライド孔３４の下側には、後述するカバー３６の結合のための結合溝３８がさらに形成される。
【００２４】
一方、本発明によるサンルーフスイッチの構成中、実質的な操作ハンドルの役割をするノブ１２の上面には、サンルーフの開閉方向とサンルーフスイッチであることを視覚的に確認できるマークが発光可能に刻印されて、両側面の所定位置には、締結孔４０が貫通形成される。
ノブ１２と結合する構成要素として備えられたノブベース１４には、上下に貫通する締結口４２が形成されて、両側面の下部において、その後側には、十字状の案内孔２８に挿入される突出した案内ピン４４が一体成形され、その前側には、ヒンジ孔４６が形成される。
【００２５】
また、ヒンジ孔４６の上方には、ノブ１２の締結孔４０に嵌合される突起状のフック４８が一体形成される。
従って、図２（ａ）（ｂ）に示したように、ノブ１２の締結孔４０にノブベース１４のフック４８が挿入されて、ノブ１２とノブベース１４との結合がなされる。
この際、ノブベース１４の締結口４２を通じて挿入される発光ロッド１６が備えられるが、この発光ロッド１６の上端には、係止突起５０が一体形成されて、この係止突起５０がノブベース１４の締結口４２上端の外周面に係止され、ノブベース１４と発光ロッド１６との締結がなされる。
【００２６】
一方、発光ロッド１６の両側面と下端面とにかけて、シーソーのような作動をするレバー１８が一体成形される。
レバー１８の下端部の両側面の中央位置には、締結突起５２が一体形成され、またレバー１８の両端部は、ＰＣＢ基板２４上のタクトスイッチ５４の上面位置まで延長形成されて、その延長された底面には、タクトスイッチ５４を選択的に押圧する押圧端５６が一体形成される。
【００２７】
ここで、本発明の構成の中で、スライダー２０は、中央位置で上下に貫通する経由孔５８が形成された板体であって、その４隅の底面には、下方に保持脚６０が一体に延長形成され、経由孔５８の外周部の位置には、ノブベース１４のヒンジ孔４６に結合されるヒンジピン６２が一体形成される。
これにより、ノブベース１４のヒンジ孔４６にスライダー２０のヒンジピン６２が嵌合され、相互間の結合がさなれ、この際、経由孔５８には、発光ロッド１６の中間部分(レバーとの境界部分)が挿入された状態となる。
【００２８】
特に、スライダー２０の両側面の中央位置には、スプリング６４とロッド６６が順次挿入され保持される保持溝６８が形成され、ロッド６６の前端は、スプリング６４の弾性力により、ケース１０の内側面に形成されたホルダー部３２に安着保持される。
また、図２（ｂ）の通り、スライダー２０の各保持脚６０の下端部の外表面には、ケース１０のスライド孔３４に挿入される突出したスライドピン７０が一体成形される。
さらに、図４（ｂ）の通り、スライダー２０のスライドピン７０は、ケース１０のスライド孔３４に沿って移動可能に設置される。
【００２９】
ここで、レバー１８と締結されるコンタクト２２は、レバー１８の下端部に結合されるボディー部７２と、このボディー部７２の底面の四方位置に取り付けられた導電性の第１及び第２の接点脚７４、７６とから構成される。
また、図２（ａ）（ｂ）から分かるように、コンタクト２２のボディー部７２の両側面には、レバー１８の締結突起５２が嵌合する締結孔７８が形成される。
特に、コンタクト２２の接点脚は、両側方向に傾斜して形成されるが、その二つは、サンルーフの一部開/一部閉のための第１の接点脚７４として構成され、他の二つは、サンルーフの完全開/完全閉のための第２の接点脚７６として構成されたものである。
【００３０】
次に、本発明のサンルーフスイッチのオン/オフの制御及び接点の役割をするＰＣＢ基板について説明する。
ＰＣＢ基板２４の上面には、レバー１８の押圧端５６により選択的に押圧される、図３（ａ）に示したようなタクトスイッチ５４が両側に配置されて、コンタクト２２の接点脚が接する複数個の接点が所定の配列で取り付けられる。
この際、ＰＣＢ基板２４は、カバー３６の上面に取り付けられ、このカバー３６は、本発明の各構成がケース１０の内部に集約的に組立てられた後、ケース１０の底面にカバーリングのために締結される。
【００３１】
即ち、カバー３６の外側面に形成された結合用突起８０がケース１０のスライド孔３４の真下側に形成された結合孔３８に嵌合され、相互間が結合される。
ＰＣＢ基板の構造をさらに詳細に説明すると、図５から分かるように、ＰＣＢ基板２４上には、一側に(−)端子８２が配列されて、中央側には、タクトスイッチ５４により接触がなされるティルトアップ/ティルトダウン接点８４が配列される。(−)端子８２とティルトアップ/ダウン接点８４との間には、コンタクト２２の第１の接点脚７４が接する１段接点８６が配列されて、その反対側には、コンタクト２２の第２の接点脚７６が接する２段接点８８が配列される。
また、ＰＣＢ基板２４の中央位置には、発光ロッド１６を発光させるためのＬＥＤ９０が設置される。
【００３２】
このような本発明によるサンルーフスイッチの組立てが完了した状態は、図４（ａ）または（ｂ）に示す。サンルーフスイッチを車両の天井面に装着した後には、ケース１０とＰＣＢ基板２４からカバー３６を通じて延長されたコネクタ９２などが天井内部に配置され、実質的には、ノブ１２だけが操作可能に外部へ露出する状態となる。
【００３３】
以下、上記構成からなる本発明のサンルーフスイッチの作動状態について説明する。
図６（ａ）は、本発明のサンルーフスイッチを示す側面図である。Ｒは、ノブのティルト操作のための回転点であって、ノブベース１４のヒンジ孔４６にスライダー２０のヒンジピン６２が締結された地点である。
【００３４】
また、ＴＨは、ノブベース１４の案内ピン４４が、ケース１０に一体形成された案内端３０の十字状案内孔２８に挿入された地点であって、ノブ１２のティルトアップまたはティルトダウン操作時、案内ピン４４が十字状案内孔２８で上下方向(Ｔ方向)に運動して、ノブ１２の開及び閉操作時、案内ピン４４が十字状案内孔２８で前後方向(Ｈ方向)に運動する。
また、前記サンルーフの開及び閉のためにノブ１２を前後方向に操作する際、スライダー２０の各保持脚６０に形成されたスライドピン７０がケース１０に形成されたスライド孔３４に沿って移動する。
【００３５】
この際、図６（ｂ）及び（ｃ）に示したように、ケース１０の内側面には、鈍角をなすホルダー部３２に、スライダー２０の両側面に引込まれているロッド６６の前端がスプリング６４の弾性力により安着保持された状態で、前記サンルーフの開及び閉のためにノブ１２を前または後方向に操作すると、スライダー２０と共にロッド６６がホルダー部３２に沿って前方または後方に移動するようになり、ノブ１２を放すと、直ちにロッド６６がホルダー部３２の鈍角面に沿って元の中間位置に復帰移動する。
即ち、ロッド６６がホルダー部３２の鈍角面に沿って元の中間位置に復帰移動すると、スライダー２０及びこのスライダー２０に連結されたノブベース１４と、ノブベース１４に結合されたノブ１２とが同時に元の位置に復帰移動する。
【００３６】
ここで、本発明によるサンルーフスイッチの各操作段階及びその作動状態を説明する。
（１）サンルーフのティルトダウン作動
図７は、本発明による１ボタン６ウェイサンルーフスイッチのティルトダウン操作状態を示す断面図である。
本発明によるサンルーフのティルトダウン操作は、ノブ１２を引っ張る（ＰＵＬＬ）操作により行われる。
ノブ１２を引っ張ると、ノブベース１４がその回転点Ｒを中心に回転をするようになり、それと同時にノブベース１４の締結口４２に固定された発光ロッド１６が引っ張られて、この発光ロッド１６の下部に一体形成されたレバー１８がノブ１２の引っ張り方向に傾く。
【００３７】
従って、シーソー作用のように、レバー１８の押圧端５６の一つ(ティルトアップ用)は、ノブ１２の引っ張り作用によりタクトスイッチ５４から離れ、他の一つ(ティルトダウン用)は、タクトスイッチ５４を押圧して、ＰＣＢ基板２４上に配列されたティルトダウン用接点が通電されると同時に、サンルーフのティルトダウン作動が行われる。
【００３８】
（２）サンルーフのティルトアップ作動
図８は、本発明による１ボタン６ウェイサンルーフスイッチのティルトアップ操作状態を示す断面図である。
本発明によるサンルーフのティルトアップ操作は、ノブ１２を押圧する（ＰＵＳＨ）操作により行われる。
ノブ１２を押圧すると、ノブベース１４がその回転点Ｒを中心に回転し、それと同時にノブベース１４の締結口４２に固定された発光ロッド１６が引っ張られて、この発光ロッド１６の下部に一体形成されたレバー１８がノブ１２の押圧された反対方向に傾く。
【００３９】
従って、シーソー作用のように、レバー１８の押圧端５６の一つ(ティルトダウン用)は、ノブ１２の押圧作用によりタクトスイッチ５４から離れ、他の一つ(ティルトアップ用)は、タクトスイッチ５４を押圧して、ＰＣＢ基板２４上に配列されたティルトアップ用接点が通電されると同時に、サンルーフのティルトアップ作動が行われる。
【００４０】
（３）サンルーフの開作動
図９は、本発明による１ボタン６ウェイサンルーフスイッチの開操作状態を示す断面図である。
サンルーフの開のために、ノブ１２を後方向に直線運動するように操作すると、ノブに結合されたノブベース１４と、ノブベース１４に結合された発光ロッド１６と、発光ロッドの下部に一体になっているレバー１８と、レバーと結合されたスライダー２０とが同時に後方向に直線移動する。
従って、コンタクト２２のボディー部７２の第１の接点脚７４がＰＣＢ基板２４上の１段接点８６に接して通電状態となり、これにより、サンルーフが一部開となる。
【００４１】
この際、スライダー２０の各保持脚６０に形成されたスライドピン７０がケース１０に形成されたスライド孔３４に沿って移動し、その直線移動を案内すると同時に、直線移動区間を限定して、スライダー２０の直線移動距離は、２．５〜３．５ｍｍに限定される。
即ち、ケース１０のスライド孔３４の長さを５〜７ｍｍに形成することにより、このスライド孔３４の中間位置に位置するスライドピン７０の前後直線移動距離が２．５〜３．５ｍｍに限定される。
ここで、ノブ１２をさらに後方向に押すと、コンタクト２２の第２の接点脚７６がＰＣＢ基板２４上の２段接点８８に接し、通電状態になって、これによりサンルーフが完全開となる。
【００４２】
（４）サンルーフの閉作動
図１０は、本発明による１ボタン６ウェイサンルーフスイッチの閉操作状態を示す断面図である。
サンルーフの閉のために、ノブ１２を前方向に直線運動するように操作すると、ノブと結合するノブベース１４と、ノブベース１４に結合された発光ロッド１６と、発光ロッドの下部に一体となっているレバー１８と、レバーと結合するスライダー２０とが同時に後方向に直線移動する。
従って、コンタクト２２のボディー部７２の接点脚の第１の接点脚７４がＰＣＢ基板２４上の閉用１段接点８６に接し、通電状態となって、これにより、サンルーフが一部閉となる。
【００４３】
同様に、スライダー２０の各保持脚６０に形成されたスライドピン７０がケース１０に形成されたスライド孔３４に沿って移動し、その直線移動を案内すると同時に、直線移動区間を限定して、スライダー２０の直線移動距離は、２．５〜３．５ｍｍに限定される。
ここで、ノブ１２をさらに前方向に押すと、コンタクト２２の第２の接点脚７６がＰＣＢ基板２４上の閉用２段接点８８に接し、通電状態になって、これによりサンルーフが完全閉となる。
【００４４】
一方、ＰＣＢ基板２４上に取り付けられたＬＥＤ９０の光が発光ロッド１６を通じてノブ１２に伝達され、ノブ１２の上面に刻印されたマーキングが発光し、ノブ操作のための視認性が向上する。
このように、一つのボタン操作によりサンルーフの６ウェイ開閉作動が可能となり、使用者の趣向に合わせ、サンルーフの開閉量を希望通りに調節することができる。
【図面の簡単な説明】
【００４５】
【図１】本発明による１ボタン６ウェイサンルーフスイッチを示す分離斜視図である。
【図２】本発明による１ボタン６ウェイサンルーフスイッチの上部側の構成品に対する組立て過程を示す斜視図である。
【図３】本発明による１ボタン６ウェイサンルーフスイッチの上部側の構成品に対する組立て過程を示す斜視図である。
【図４】本発明による１ボタン６ウェイサンルーフスイッチの組立てが完了した状態を示す斜視図である。
【図５】本発明による１ボタン６ウェイサンルーフスイッチに適用されるＰＣＢ基板上の接点配置構造を示す平面図である。
【図６】（ａ）は、本発明による１ボタン６ウェイサンルーフスイッチを示す側面図であり、（ｂ）は、（ａ）のＡ−Ａ線断面図、（ｃ）は、（ａ）のＢ−Ｂ線断面図である。
【図７】本発明による１ボタン６ウェイサンルーフスイッチのティルトダウン操作状態を示す断面図である。
【図８】本発明による１ボタン６ウェイサンルーフスイッチのティルトアップ操作状態を示す断面図である。
【図９】本発明による１ボタン６ウェイサンルーフスイッチの開操作状態を示す断面図である。
【図１０】本発明による１ボタン６ウェイサンルーフスイッチの閉操作状態を示す断面図である。
【図１１】従来のサンルーフスイッチを示す断面図である。
【符号の説明】
【００４６】
１０    ケース
１２    ノブ
１４    ノブベース
１６    発光ロッド
１８    レバー
２０    スライダー
２２    コンタクト
２４    ＰＣＢ基板
２６    カバー
２８    十字状案内孔
３０    案内端
３２    ホルダー部
３４    スライド孔
３６    カバー
３８    結合孔
４０    締結孔
４２    締結口
４４    案内ピン
４６    ヒンジ孔
４８    フック
５０    係止突起
５２    締結突起
５４    タクトスイッチ
５６    押圧端
５８    経由孔
６０    保持脚
６２    ヒンジピン
６４    スプリング
６６    ロッド
６８    保持溝
７０    スライドピン
７２    ボディー部
７４    第１の接点脚
７６    第２の接点脚
７８    締結孔
８０    結合用突起
８２    (−)端子
８４    ティルトアップ/ティルトダウン接点
８６    １段接点
８８    ２段接点
９０    ＬＥＤ
９２    コネクタ
【図１】
2006179459.tif 000003
【図２】
2006179459.tif 000004
【図３】
2006179459.tif 000005
【図４】
2006179459.tif 000006
【図５】
2006179459.tif 000007
【図６】
2006179459.tif 000008
【図７】
2006179459.tif 000009
【図８】
2006179459.tif 000010
【図９】
2006179459.tif 000011
【図１０】
2006179459.tif 000012
【図１１】
2006179459.tif 000013